(57)【要約】【課題】本発明は、ノズルの手前位置に設けられたガイド筒体によってマグネットワイヤを案内し、脈動をなくして断線を防止することを目的とする。【解決手段】本発明によるコアの巻線方法は、ノズル（３）の手前位置でかつコア（１）に対応した位置に設けられたガイド筒体（２０）を貫通したマグネットワイヤ（５）をノズル（３）内に供給する方法である。【選択図】        図１
2004242431.tif 000002
【特許請求の範囲】
【請求項１】
マグネットワイヤ（５）を貫通させたノズル（３）を少なくとも上下動させてコア（１）の外周に前記マグネットワイヤ（５）を巻回するようにしたコアの巻線方法において、
前記ノズル（３）の手前位置で、かつ、前記コア（１）に対応した位置に設けられたガイド筒体（２０）を貫通した前記マグネットワイヤ（５）を前記ノズル（３）内に供給することを特徴とするコアの巻線方法。
【請求項２】
前記ノズル（３）は、ノズル取付板（２）に設けられ、前記ガイド筒体（２０）はガイド取付板（２１）に設けられ、前記ノズル取付板（２）とガイド取付板（２１）は互いに平行に配設され、前記ガイド取付板（２１）は固定されていることを特徴とする請求項１記載のコアの巻線方法。
【請求項３】
前記ガイド筒体（２０）は、前記コア（１）の中心を通るコア中心線（１Ａ）上に位置することを特徴とする請求項１又は２記載のコアの巻線方法。
【発明の詳細な説明】
【０００１】
【発明の属する技術分野】
本発明は、コアの巻線方法に関し、特に、ノズルの手前位置にマグネットワイヤを案内するガイド筒体を固定して設けることにより、ボビン方向から引き出されるマグネットワイヤの引き出し速度の脈動を無くし、コアに対する巻線時の断線を防止するための新規な改良に関する。
【０００２】
【従来の技術】
従来、用いられていたこの種のコアの巻線方法としては、社内で行われていた方法を図３及び図４として示すため、特許文献及び非特許文献は示していない。
すなわち、図３において、符号１で示されるものはステータ又はロータ等の磁極からなるコアであり、このコア１の近傍位置には、ノズル取付板２に設けられたノズル３が少なくとも上下動自在に配設され、このノズル取付板２を上下動させるための構成は周知であるため省略している。
尚、前記コア１を有するステータ又はロータは、図示しないテーブル上に設けられ、このコア１は円周方向又は直線方向に沿って複数個形成され、このテーブルによって左右方向に移動できるように構成されている。
【０００３】
次に、巻線方法について説明する。まず、図４の（Ａ）に示されるように、ノズル３のノズル軌跡１０は、コア１の周囲に対して四角形状となる。
図４の（Ｂ）に示されるように、ノズル３を左行とするか又はコア１を右行とすると、概ねノズル３の移動速度でマグネットワイヤ５が図３のボビン３０方向から引き出される。
【０００４】
次に、図４の（Ｃ）に示されるように、ノズル３を下降させると、垂直に降下するため、マグネットワイヤ５は概ねノズル３の移動速度の２倍速で引き出される。
【０００５】
次に、図４の（Ｄ）に示されるように、ノズル３を右行とするか又はコア１を左行とすると、概ねノズル３の移動速度で引き出される。
次に、図４の右に示されるように、ノズル３が上昇して図４の（Ｂ）の状態となると、マグネットワイヤ５はボビン方向から引き出されること無く、ノズル３内面の摩擦のみが作用する。
従って、前述の状態では、ノズル３は上下動のみとし、コア１が載置されたテーブルを左右に移動させることにより、ノズル３のノズル軌跡１０はコア１の周囲を周回し、巻線を行うことができる。
【０００６】
【発明が解決しようとする課題】
従来のコアの巻線方法は、以上のように構成されていたため、次のような課題が存在していた。
すなわち、ノズルが下降する場合、マグネットワイヤはノズルの移動速度の２倍速で引き出され、図４のように、巻付け時のノズルの位置によってマグネットワイヤをボビン方向から引き出す引き出し速度がノズル駆動速度に対して概ね零と２倍に変わる、いわゆる、脈動が発生する。
そのため、この脈動によって、引張り方向の変動負荷が発生し、マグネットワイヤの断線の恐れがあった。
【０００７】
本発明は、以上のような課題を解決するためになされたもので、特に、ノズルの手前位置にマグネットワイヤを案内するガイド筒体を固定して設けることにより、ボビン方向から引き出されるマグネットワイヤの引き出し速度の脈動を無くし、コアに対する巻線時の断線を防止するようにしたコアの巻線方法を提供することを目的とする。
【０００８】
【課題を解決するための手段】
本発明によるコアの巻線方法は、マグネットワイヤを貫通させたノズルを少なくとも上下動させてコアの外周に前記マグネットワイヤを巻回するようにしたコアの巻線方法において、前記ノズルの手前位置で、かつ、前記コアに対応した位置に設けられたガイド筒体を貫通した前記マグネットワイヤを前記ノズル内に供給する方法であり、また、前記ノズルは、ノズル取付板に設けられ、前記ガイド筒体はガイド取付板に設けられ、前記ノズル取付板とガイド取付板は互いに平行に配設され、前記ガイド取付板は固定されている方法であり、また、前記ガイド筒体は、前記コアの中心を通るコア中心線上に位置する方法である。
【０００９】
【発明の実施の形態】
以下、図面と共に本発明によるコアの巻線方法の好適な実施の形態について説明する。尚、従来例と同一又は同一部分については同一符号を用いて説明する。
図１において符号１で示されるものはステータ又はロータ等の磁極からなるコアであり、このコア１の近傍位置には、ノズル取付板２に設けられたノズル３が少なくとも上下動自在に配設され、このノズル取付板２を上下動させるための構成は周知であるため省略している。
【００１０】
尚、前記コア１を有するステータ又はロータは、図示しないテーブル上に設けられ、このコア１は円周方向又は直線方向に沿って複数個形成され、テーブルによって左右方向に移動できるように構成されている。
【００１１】
前記ノズル３の手前位置すなわち、マグネットワイヤ５のボビン３０からの引き出しの上流側には、固定されたガイド取付板２１に設けられたガイド筒体２０が設けられ、前記ノズル３とガイド筒体２０の各軸方向すなわち内部の貫通孔の方向は互いに平行であり、前記ノズル取付板２とガイド取付板２１とは互いに平行な状態で配設されている。
【００１２】
前記ガイド筒体２０の貫通孔２０ａは、その軸方向から見た場合、前記コアの前記マグネットワイヤ５が巻回される周面１ｂに対して直交する面１ａに対応し、さらに具体的には、コア中心線１Ａに対応している。
【００１３】
次に、巻線方法について説明する。まず、マグネットワイヤ５は、ガイド筒体２０の貫通孔２０ａを貫通した後に、ノズル３を介してノズル軌跡１０に沿ってコア１に巻回される。
前述の場合のノズル軌跡１０は、コア１の周囲に対して四角形状となる。
【００１４】
図４の（Ｂ）に示されるように、ノズル３を左行とするか又はコア１を右行とすると、ノズル３の移動速度でマグネットワイヤ５がノズル３から引き出される。
【００１５】
次に、図２の（Ｃ）に示されるように、ノズル３を下降させると、垂直に降下するため、マグネットワイヤ５はノズル３の移動速度で引き出される。
【００１６】
次に、図２の（Ｄ）に示されるように、ノズル３を右行又はコア１を左行とすることにより、マグネットワイヤ５はノズル３の移動速度で引き出される。
【００１７】
次に、図２の（Ｅ）で示されるように、ノズル３を上昇させると、マグネットワイヤ５はノズル３の移動速度で引き出される。
従って、コア１のコア中心線１Ａに対応して配設されたガイド筒体２０を介してマグネットワイヤ５がノズル３に送られるため、マグネットワイヤ５の引張り距離が従来より細かく、速度も早くなり、ノズル軌跡１０に沿ってマグネットワイヤ５を巻回する場合、従来のような脈動はなくなり、大きい力がマグネットワイヤ５にかかることを防止することができる。尚、コア中心線１Ａに対してガイド筒体２０を正確に合わせなくても前述の作用効果を得ることができる。
【００１８】
【発明の効果】
本発明によるコアの巻線方法は、以上のように構成されているため、次のような効果を得ることができる。
すなわち、ノズルの手前位置にガイド筒体を固定配設し、このガイド筒体をコアのコア中心線に対応させているため、ノズルを上下動させた場合のマグネットワイヤの引き出し速度の脈動を防ぐことができ、断線等を防止して巻線の歩留まりを向上させることができる。
【図面の簡単な説明】
【図１】本発明によるコアの巻線方法を示す構成図である。
【図２】図１の巻線工程図である。
【図３】従来の巻線方法を示す構成図である。
【図４】図３の巻線工程図である。
【符号の説明】
１    コア
１Ａ    コア中心線
２    ノズル取付板
３    ノズル
５    マグネットワイヤ
１０    ノズル軌跡
２０    ガイド筒体
２１    ガイド取付板
【図１】
2004242431.tif 000003
【図２】
2004242431.tif 000004
【図３】
2004242431.tif 000005
【図４】
2004242431.tif 000006